(57)【要約】【課題】  ビルトインキャビネットに設置された冷蔵庫の機械室の放熱を改善すること。【解決手段】  ビルトインキャビネットに設置された冷蔵庫本体の背面下部に機械室が配設される。機械室の一側には圧縮機が他側には凝縮機と送風ファンが設置される。凝縮機と送風ファンの間に流路ガイド部材が配設される。流路ガイド部材は外部空気の吸入をガイドし、また、熱交換された空気の吐出をガイドする。【選択図】      図４
2005172413.tif 000002
【特許請求の範囲】
【請求項１】
ビルトインキャビネットに設置された冷蔵庫本体と;
前記冷蔵庫本体の背面下部に配設された機械室と;
前記機械室の一側に設置された圧縮機と;
前記機械室の他側に設置された凝縮機及び送風ファンと;
前記機械室他側の送風ファン及び凝縮機の間に設置されて、外部空気の吸入を前記機械室他側でガイドして、機械室他側での熱交換された空気の吐出をガイドする流路ガイド部材と、を含む、
ことを特徴とするビルトイン冷蔵庫の放熱装置。
【請求項２】
前記流路ガイド部材は、一端が機械室外部を上下で区画して、他端が機械室内部の送風ファン及び凝縮機を上下で区画する、ことを特徴とする請求項１に記載のビルトイン冷蔵庫の放熱装置。
【請求項３】
前記流路ガイド部材は、ビルトインキャビネットの下部に吸入された外部空気を機械室の凝縮機でガイドして、前記凝縮機によって熱交換された空気を送風ファンでガイドする放熱流路を更に含む、ことを特徴とする請求項１に記載のビルトイン冷蔵庫の放熱装置。
【請求項４】
前記放熱流路には、前記凝縮機及び送風ファンの間に流路が形成されることができるように、機械室他側内部に前記凝縮機及び送風ファンの間を連通する吸気口を更に含む、ことを特徴とする請求項３に記載のビルトイン冷蔵庫の放熱装置。
【請求項５】
前記機械室は、
前記圧縮機が設置された圧縮部と;
前記送風ファン及び凝縮機が上下で設置された凝縮部と;
前記圧縮部及び凝縮部をお互いに遮断する垂直板と;
前記凝縮部背面をカバーして下部に吸入口及び上部に吐出口が形成されて前記流路ガイド部材が貫通されるガイド貫通スロットが形成されたバツクカバーと、を含む、
ことを特徴とする請求項１に記載のビルトイン冷蔵庫の放熱装置。
【請求項６】
前記送風ファンは、前記流路ガイド部材の上面で所定の傾斜角度を持ってバツクカバーの吐出口方向に設置されている、ことを特徴とする請求項５に記載のビルトイン冷蔵庫の放熱装置。
【請求項７】
前記凝縮機は、前記凝縮部の下部及び内側空間に"己"字形状に形成されることを特徴とする請求項５に記載のビルトイン冷蔵庫の放熱装置。
【請求項８】
前記冷蔵庫本体の機械室外壁には、機械室と連通される多数個の放熱孔が形成されている、ことを特徴とする請求項１に記載のビルトイン冷蔵庫の放熱装置。
【請求項９】
前記流路ガイド部材は"Ｌ"字形状に装着されて、前記機械室内部の圧縮機と凝縮機の間、および、前記凝縮機と送風ファンの間をそれぞれ区画して、機械室外部の壁辺りまで延長されて形成されていることを特徴とする請求項１に記載のビルトイン冷蔵庫の放熱装置。
【請求項１０】
前記流路ガイド部材は、"Ｌ"字形状に形成されて、
前記機械室の背面を覆うバツクカバーには圧縮機と連通される通気孔と、前記凝縮機と連通されて外部空気を吸入する吸入口と、前記送風ファンと連通され熱交換された空気を吐出する吐出口と、前記流路ガイド部材が貫通される"Ｌ"字形状のガイド貫通スロットを含む、
ことを特徴とする請求項１に記載のビルトイン冷蔵庫の放熱装置。
【請求項１１】
ビルトインキャビネットに設置された冷蔵庫本体と;
前記冷蔵庫本体の背面下部に配設される機械室と;
前記機械室一側に設置された圧縮機と;
前記機械室他側の放熱流路上に設置される凝縮機及び送風ファンと;
前記機械室を覆うように機械室背面に締結されるバツクカバーと;
前記送風ファンによって吐出される空気を一定の高さまで誘導するように、内部が開放された吐出流路ガイド部と、を含む、
ことを特徴とするビルトイン冷蔵庫の放熱装置。
【請求項１２】
前記機械室は、
圧縮機が設置された圧縮部と、
前記凝縮機及び送風ファンが設置された凝縮部と、
前記圧縮部及び凝縮部を左右で区画する垂直板と、
前記凝縮機及び送風ファンの間を上下で区画して凝縮部内部をお互いに連通させる水平板が形成される、
ことを特徴とする請求項１１に記載のビルトイン冷蔵庫の放熱装置。
【請求項１３】
前記機械室は、ビルトインキャビネットの下部から外部空気を吸入するために機械室底面全体に吸入口が形成されている、ことを特徴とする請求項１１に記載のビルトイン冷蔵庫の放熱装置。
【請求項１４】
前記放熱流路は、前記送風ファンの駆動で機械室底面に形成された吸入口を通して外部空気を吸入して圧縮機及び凝縮機を冷却させた後に、前記吐出流路ガイド部に吐出する放熱流路を含む、ことを特徴とする請求項１１に記載のビルトイン冷蔵庫の放熱装置。
【請求項１５】
前記吐出流路ガイド部は、一端が送風ファンと連通されて、他端が冷蔵庫本体背面の吐出流路と連通される所定の長さのダクトで構成されている、ことを特徴とする請求項１１に記載のビルトイン冷蔵庫の放熱装置。
【請求項１６】
前記バツクカバーには、一側に圧縮機と連通される通気孔と、前記送風ファンと連通される吐出口と、前記吐出口周囲面に吐出流路ガイド部が一体で装着されている、ことを特徴とする請求項１１に記載のビルトイン冷蔵庫の放熱装置。
【請求項１７】
前記バツクカバーには、機械室背面下端と壁の間での上下流路を遮断する水平な流路遮断板が形成されている、ことを特徴とする請求項１６に記載のビルトイン冷蔵庫の放熱装置。
【請求項１８】
ビルトインキャビネットに設置された冷蔵庫本体と;
前記冷蔵庫本体の背面下部に配設された機械室と;
前記機械室一側に設置された圧縮機と;
前記機械室の他側の前/後方に設置された凝縮機及び送風ファンと;
前記機械室の他側底面に設置されて外部空気の吸入をガイドする吸入ダクトと、を含む、
ことを特徴とするビルトイン冷蔵庫の放熱装置。
【請求項１９】
前記吸入ダクトは、機械室の他側底面とビルトインキャビネットの底板の間に配設されて
前記吸入ダクトは一側に下方向に突出されて外部空気を流入させる流入口と、他側に前記送風ファン下部と連通される排気口を一体で含む、ことを特徴とする請求項１８に記載のビルトイン冷蔵庫の放熱装置。
【請求項２０】
ビルトインキャビネットに設置された冷蔵庫本体と;
前記冷蔵庫本体の背面下部に設置されて、一側の圧縮機と、他側の凝縮機及び送風ファンが配設された機械室と;
前記機械室他側下部で外部空気が吸入されて前記凝縮機及び送風ファンを通して熱交換されて、熱交換された空気が前記機械室他側上部に吐出されるようにガイドするガイド部材と;
前記機械室外側の下部及び上部を分離して前記の外部空気と熱交換された空気がお互いに混合しないように遮断する流路遮断部材と、を含む、
ことを特徴とするビルトイン冷蔵庫の放熱装置。
【発明の詳細な説明】
【技術分野】
【０００１】
本発明は冷蔵庫において、特にビルトインキャビネットに設置された冷蔵庫の機械室での放熱改善のためのビルトイン冷蔵庫の放熱装置に関することである。
【背景技術】
【０００２】
冷蔵庫は冷媒の圧縮-凝縮-膨脹-蒸発する冷凍サイクルを反復することによって内部温度を低温化させて食べ物を一定期間の間新鮮に冷蔵させるとか冷凍させる装置である。
【０００３】
そして、冷蔵庫は基本的にある程度の大きさを持っているために、台所や居間等の一方壁面に設置される場合壁面から外側に突き出される。このような冷蔵庫の設置構造によって美観上良くなくて空間的な活用に問題があり、ビルトインキャビネットに冷蔵庫を一つの家具のように設置して使用するとかシンク台に設置して使うこともできるようになった。
【０００４】
図1はビルトインキャビネット(1)に冷蔵庫本体(2)を一つのビルトイン家具のように設置した状態を現わした図面である。
【０００５】
図1に図示されたところのように、ビルトインキャビネット(1)に設置された冷蔵庫本体(2)は飲食物貯蔵室と貯蔵室内部を低温の状態で維持させる冷媒循環装置を具備した機械室で区画形成される。このようなビルトイン冷蔵庫本体(2)はビルトイン構造の特性上機械室への空気流動は冷蔵庫下端に流入されて後壁面に沿って上部に吐出される流路が形成される。このようにビルトイン冷蔵庫の機械室での熱交換を円滑にさせて発生される熱をより効果的に放出させるための技術が重要な問題として台頭している。
【０００６】
図2は図1のビルトイン冷蔵庫のA-'A断面図である。
図2を参照すれば、ビルトインキャビネット(1)に設置された冷蔵庫本体(2)と、冷蔵室及び冷凍室を開閉するためのドアパネル(3)と、冷蔵庫本体(2)を支持する底板(4)と、冷蔵庫本体(2)の前面下部に垂直に設置されて通気孔(9)が形成されたオンドル板(5)と、冷蔵庫本体(2)の背面に設置された機械室(6)と、底板(4)の下部及びオンドル板(5)の通気孔(9)を通して外部と連通された吸入流路(12)と、冷蔵庫本体(2)の後方に位置した排出流路(13)で構成される。
【０００７】
のようなビルトイン冷蔵庫に対して概略的に説明すれば以下のようになる。
図2を参照すれば、ビルトインキャビネット(1)には据え付け家具のように用意された空間上に冷蔵庫本体(2)が挿入されて壁面と所定間隔を置いて設置される。冷蔵庫本体(2)は前面にドアパネル(3)が装着されて上側に引き出し箱が設置されて、下側に底板(4)が配設される。
【０００８】
冷蔵庫本体(2)の下側には底板(4)が底面と所定間隔で置かれるように設置されて冷蔵庫全体を支持して、下側前面にオンドル板(5)が配設される。ここで、オンドル板(5)はビルトインキャビネット(1)の下部外観を良くして外部から汚物流入を遮断するために設置される。
【０００９】
そして、冷蔵庫本体(2)の背面下部に機械室(6)が配設されて、機械室(6)は内部に圧縮機(10)、凝縮機、送風ファンを含んで、バツクカバー(7)によって保護される。バツクカバー(7)を通して空気が流動するようになることで機械室(6)の放熱が成り立つ。
【００１０】
又、機械室(6)内部で発生される熱はビルトインキャビネット(1)の下部及び背面に配設された放熱流路を通して効果的に放熱される。すなわち、冷蔵庫本体下部の吸入流路(12)を通して外部空気が機械室内部に吸入されて、機械室(6)内部の空気が冷蔵庫本体後方に用意された吐出流路(13)を通して排出される。
【００１１】
このために、ビルトインキャビネット(1)の前面下部に設置されたオンドル板(5)の通気孔(9)で外部空気が流入されて、流入された空気はビルトインキャビネット(1)の下部に設置された底板(4)と底面の間の吸入流路(12)に沿って冷蔵庫本体(2)と壁面(8)の間の吐出流路(13)に沿って流動するようになる。流路(12、13)に沿って流動する空気はバツクカバー(7)を通して機械室(6)内部を放熱させる。
【００１２】
のようなビルトイン冷蔵庫は、圧縮機(10)、凝縮機(図3の17)、毛細管の順を経て冷媒が蒸発機(未図示)に吸入されて蒸発機を通過する間完全に気化されながら周囲の熱を奪って周辺を冷却させるようになる。以後、前期蒸発機によって冷却した空気は冷凍室と冷蔵室に提供されて、このように提供され冷蔵庫内部を冷却させた後温度が上昇された冷気は再び帰還されて蒸発機側に流入される。
【００１３】
この時、冷蔵庫本体(2)の背面下部に設置された機械室(6)に配設される圧縮機(10)及び凝縮機、送風ファンが作動するようになれば、冷蔵庫本体の下部に位置した吸入流路(12)を 通して吸入された空気は機械室内側に誘導され凝縮機及び送風ファンを経て冷蔵庫本体(2)の後方の吐出流路(13)を通して外部に抜け出る。
【００１４】
図3は従来ビルトイン冷蔵庫の機械室構造を現わした正面図である。
図3を参照すれば、冷蔵庫本体の背面下部に設置された機械室(6)には一側の圧縮機(10)、他側の送風ファン(16)、中央の凝縮機(17)で構成されて、送風ファン(14)が起動すればバツクカバー(7)の吸入孔(14)を 通して外部空気が吸入されて、送風ファン(14)によって吐出される空気は凝縮機(17)及び圧縮機(10)と順序通りに熱交換された後バツクカバー(7)の排出孔(15)を 通して抜け出るようになる。
【００１５】
この時、機械室(6)の内部で熱交換された空気は吐出流路(13)を通して外部に抜け出て、同時に吸入流路(12)を通して空気が流入される循環過程を持つ。
【００１６】
しかし、従来にはビルトイン冷蔵庫の背面下部に配設された機械室(6)内の送風ファン(16)及び凝縮機(17)を放熱させるためにバツクカバー(7)を通して吸入と熱交換された空気を再びバツクカバー(7)を通して吐出するようになることで、機械室(6)で吐出される空気が流入口(14)で再吸入されるとか圧縮機(10)を経て再流入されるサーキュレーション(Circulation)現象によって凝縮機(17)の熱伝逹効率が低くなる問題が発生するようになる。
【発明の開示】
【発明が解決しようとする課題】
【００１７】
本発明の第１目的はビルトイン冷蔵庫の機械室に吸入される空気の流路と、機械室内で吐出される空気の流路が混合しないようにしたビルトイン冷蔵庫の放熱装置を提供することにある。
【００１８】
本発明の第２目的は機械室内で吐出される空気が再び機械室で再流入されないように機械室の内部及び外部を上下で区画する流路ガイド部材を具備したビルトイン冷蔵庫の放熱装置を提供することにある。
【００１９】
本発明の第３目的は機械室の凝縮部内/外側を上下で区画するための流路ガイド部材を設置して、外部空気の吸入と、熱交換された空気の吐出をガイドするビルトイン冷蔵庫の放熱装置を提供することにその目的がある。
【００２０】
本発明の第４目的は機械室内部及び外部を上下で遮断する流路ガイド部材を設置して、機械室に吸入される空気と吐出される空気がお互いに混合しないようにしたビルトイン冷蔵庫の放熱装置を提供することにその目的がある。
【００２１】
本発明の第５目的はビルトイン冷蔵庫の機械室底面に吸入ダクトを形成させることができるようにしたビルトイン冷蔵庫の放熱装置を提供することにその目的がある。
【００２２】
本発明の第６目的はビルトイン冷蔵庫の背面で吐出空気を一定の高さまでガイドする吐出流路ガイドを形成させることができるようにしたビルトイン冷蔵庫の放熱装置を提供することにその目的がある。
【課題を解決するための手段】
【００２３】
本発明の実施例によるビルトイン冷蔵庫の放熱装置は、ビルトインキャビネットに設置された冷蔵庫本体と;冷蔵庫本体の背面下部に配設された機械室と;機械室の一側に設置された圧縮機と;機械室の他側に設置された凝縮機及び送風ファンと;機械室の他側の送風ファン及凝縮機の間に設置されて、外部空気の吸入を機械室他側でガイドして、機械室他側での熱交換された空気の吐出をガイドする流路ガイド部材を含むことを特徴にする。
【００２４】
本発明の他の実施例によるビルトイン冷蔵庫の放熱装置は、 ビルトインキャビネットに設置された冷蔵庫本体と;冷蔵庫本体の下部に配設される機械室と;機械室一側に設置された圧縮機と;機械室他側の放熱流路上に設置される凝縮機及び送風ファンと;機械室を覆うように機械室背面に締結されるバツクカバーと;送風ファンによって吐出される空気を一定の高さまで誘導するように、内部が開放された吐出流路ガイド部を含むことを特徴にする。
【００２５】
本発明の又他の実施例によるビルトイン冷蔵庫の放熱装置は、ビルトインキャビネットに設置された冷蔵庫本体と;冷蔵庫本体の背面下部に配設された機械室と;機械室一側に設置された圧縮機と;機械室の他側の前/後方に設置された凝縮機及び送風ファンと;機械室の他側底面に設置されて外部空気の吸入をガイドする吸入ダクトを含むことを特徴にする。
【００２６】
本発明実施例によれば、機械室内での発生される熱をより効果的に放熱するためにビルトインキャビネットの下部から吸入される外部空気と、機械室内で熱交換された後吐出される空気がお互いに混合しないようにガイドするガイド部材を提供するようにすることにある。
【発明の効果】
【００２７】
前述したところのように、本発明によるビルトイン冷蔵庫の機械室放熱装置は機械室を上/下で区画して、凝縮機で熱交換される空気の吸入及び吐出流路をお互いに遮断させることで、既存より熱交換効率を増大させることができる効果がある。
【００２８】
又、本発明は外部空気の吸入と熱交換、そして外部空気の吐出によって流動される空気等の流路等をお互いに混合しないようにガイドすることで、機械室での熱交換効率が増大される効果がある。
【００２９】
又機械室下部の凝縮機及び上部のファンを設置する一方、凝縮機とファンの間に機械室内/外部を区画する流路ガイド部材を設置することで、吐出される空気の再流入を遮断して凝縮機は勿論、機械室内部での放熱を極大化させることができる効果がある。
【発明を実施するための最良の形態】
【００３０】
以下では本発明の望ましい実施例を中心に詳細に説明することにする。 本発明が属する技術分野で通常の知識を持った者は本発明の本質的技術範囲内で本発明の詳細な説明と違う形態の実施例等を具現することができるし、本発明の本質的技術範囲は特許請求範囲に現われているし、それと同等な範囲内にあるすべての差は本発明に含まれたことと解釈されなければならないはずである。
【００３１】
以下、本発明の望ましい実施例によるビルトイン冷蔵庫の放熱装置に対して添付された図面を参照して説明すれば以下のようになる。
【００３２】
[第１実施例]
図4〜図7は本発明の第１実施例である。図4は本発明によるビルトイン冷蔵庫の側断面図で図5は本発明による機械室放熱装置の分解斜視図で、図6は本発明による機械室放熱装置を結合状態図で、図7は機械室の結合背面図である。
【００３３】
図4〜図7を参照すれば、ビルトインキャビネット(30)に設置された冷蔵庫本体(31)と、冷蔵庫前面のドアパネル(32)と、冷蔵庫本体下部の底板(33)及びオンドル板(34)と、冷蔵庫本体(22)の背面下部に設置されて内部を圧縮部(358)及び凝縮部(359)で区画する水平板(354)が設置された機械室(35)と、凝縮部(359)の上/下遮断を通して外部空気の吸入及び吐出のための流路ガイド部(390)と、機械室内の凝縮部(359)を覆うバツクカバー(36)と、冷蔵庫本体下部に形成され外部空気を吸入する吸入流路(381)と、壁(37)に沿って形成される吐出流路(382)を含む放熱流路で構成される。
【００３４】
そして、機械室(35)は圧縮部(358)に圧縮機(351)を具備して、凝縮部(359)に送風ファン(353)及び凝縮機(352)を上側及び下側に位置させて、凝縮部(359)の内側及び外側を上/下で遮断するための流路ガイド部(390)が設置される構成である。
【００３５】
流路ガイド部(390)はバツクカバー(36)の下部吸入口(361)及び上部吐出口(362)間を区画するように壁方向に突出される第１流路ガイド(391)と、内部に吸気口(356)を具備して下部の凝縮機(352)及び上部の送風ファン(353)の間を区画する第２流路ガイド(392)を含む構成である。
【００３６】
上記のような本発明の第１実施例の作動は以下の通りである。
図4と一緒にビルトインキャビネット(30)は内部に冷蔵庫本体(31)が設置されて、冷蔵庫本体の前面にドアパネル(32)が装着される。そして、ビルトインキャビネット(30)の下部には底板(33)及びオンドル板(34)が設置される。
【００３７】
そして、冷蔵庫本体(31)は内部の壁(37)から間隔を置いて設置され、背面下部に冷凍サイクルのために機械室(35)が配設され、機械室(35)が位置する下部及び背面に吸入流路(381)及び吐出流路(382)が設けられている。
【００３８】
機械室(35)は、図4及び図5に示されるように、垂直板(354)によって圧縮部(358)と凝縮部(359)に分けられてお互いに遮断される。凝縮部(359)は流路ガイド部(390)によって上/下に区画されている。送風ファン(353)が区間された上側に、凝縮機(352)が区画された下側に配置される。流路ガイド部(390)は凝縮部(359)の内部及び外部を上/下に区画する。
【００３９】
そして、流路ガイド部(390)は内側で凝縮機(352)及び送風ファン(353)の間をお互いに連通させる吸気口(356)を具備して、凝縮機(352)と送風ファン(353)の間の空気流路を形成している。
【００４０】
ここで、圧縮部(358)は内部に圧縮機(351)が設置されてバツクカバーなしに開放されている。そして、凝縮部(359)にはバツクカバー(36)が結合されて、バツクカバー(30)には流路ガイド部(390)によって吸入口(361)及び吐出口(362)が上/下に形成される。吸入口(361)が凝縮機(352)と連通し、吐出口(362)が送風ファン(353)と連通するように複数形成されている。吐出口(362)は送風ファン(353)の回転半径内に複数形成される。
【００４１】
そしてバツクカバー(36)の中央には流路ガイド部(390)が貫通するように横方向にガイド通過スロット(363)が形成される。他の実施例ではバツクカバー(36)は凝縮部及び圧縮部の両方をカバーするように設置されて、左右両側で複数の通気孔がされることもある。
【００４２】
このようなバツクカバー(36)は垂直板(354)及び側面(357)にねじ締結されて固定され、凝縮部(359)を保護する。
【００４３】
そして、流路ガイド部(390)は平板として、凝縮部(358)の中央に横向きに垂直板(354)と機械室側面(357)の間に装着される。ここで、流路ガイド部(390)は両端が垂直板(354)及び機械室の内側と摺動可能に結合されることが望ましい。又流路ガイド部(390)をねじ等の固定手段で締結するとか、バツクカバー又は機械室内側に一体で形成することもできる。
【００４４】
あるいは、流路ガイド部(390)は機械室外側で壁(37)まで突出された第１流路ガイド(391)と内側で凝縮機(352)の幅まで延長された第２流路ガイド(392)が一体に形成される。
【００４５】
図6及び図7に示されるように、機械室(35)の凝縮部(359)にバツクカバー(36)を位置させて、バツクカバー(36)のガイド通過スロット(363)を流路ガイド部(390)が貫通するようにすれば、バツクカバー(36)と壁(37)の間に第１流路ガイド(391)が配置され、凝縮機(352)と送風ファン(353)の間に第２流路ガイド(392)が配置されるようになる。こういう状態でねじを利用して機械室(35)にバツクカバー(36)を固定させる。
【００４６】
上記のような第１実施例による機械室の放熱作動においては、ビルトイン冷蔵庫(31)が作動し機械室(35)内部の圧縮機(351)及び凝縮機(352)で熱が発生し、その結果、送風ファン(353)が回転するようになる。
【００４７】
この時、送風ファン(353)が回転するようになることによって外部空気が機械室(35)内部に吸入されて凝縮機(352)と熱交換される。この時外部空気はオンドル板(34)の通気孔(341)に吸入されて底板(33)下部の吸入流路(381)を通して吸入される。
【００４８】
吸入される外部空気は流路ガイド部(390)に沿つてバツクカバー(36)の吸入口(361)を通して機械室(35)の凝縮部(359)に吸入される。凝縮部(359)に吸入された空気は内部の凝縮機(352)と熱交換して凝縮機(352)を冷却し、熱交換された空気は送風ファン(353)によってバツクカバー(36)の吐出口(362)を通って吐出される。この時、凝縮部(359)によって吐出される空気は外部に吐出された流路ガイド部(390)によって下方向に再流入されないで吐出流路(382)を通して外部に抜け出るようになる。
【００４９】
このような流路ガイド部(390)は冷蔵庫本体(22)の下部及び背面に形成された吸入流路(381)及び吐出流路(382)を区画して、機械室(35)の凝縮部(359)を通過する流路を形成することで、熱交換された空気が外部の冷たい空気と一緒に機械室(36)に再流入されることを防止して放熱効果を増大させる。又流路ガイド部(390)を放熱板で構成することもできる。
【００５０】
図8は本発明の第１実施例において、他の形状の凝縮機(38)を適用したものである。図8に示されるように、機械室(35)内に垂直板が設置されて圧縮部及び凝縮部(359)が互いに遮断されて、凝縮部(359)は流路ガイド部(390)によって送風ファン(353)と凝縮機(38)が上/下に分割される。
【００５１】
凝縮機(38)は凝縮部(359)の下端と内側吸気口(356)まで"己"字形状でチューブが設置される。すなわち、凝縮機(38)のチューブは凝縮部(359)の下端から内部の吸気口(356)が形成されるところまで配設され容積率が増大され、従来技術よりも熱交換面積が増大される。
【００５２】
図9は図8のような凝縮機の設置形状を他の形状に変更するものである。図9に示されるように、凝縮機(38)のチューブは凝縮部(359)の底面から内側の吸気口(356)まで"己"字形状に若干のカーブを加えて延在し、容積率を増大している。
【００５３】
機械室(35)内に垂直板が設置され圧縮部及び凝縮部(359)がお互いに遮断されている。凝縮部(359)は流路ガイド部(390)によって上下に分割され、送風ファン(353)と凝縮機(39)がそれぞれ凝縮部(359)の上側と下側に設置されている。
【００５４】
[第２実施例]
図10は本発明の第２実施例である。
図10を参照すれば、機械室(45)内部には圧縮部(458)及び凝縮部(459)に区画されている。圧縮部(458)及び凝縮部(459)の間に"Ｌ"字形状に折曲された流路ガイド部(490)が設置されている。
【００５５】
流路ガイド部(490)は水平板(491)と垂直板(492)が折曲されて一体に形成された構造として、水平板(491)は送風ファン(453)及び凝縮機(452)を上/下で区画して、垂直板(492)は圧縮機(451)と凝縮機(452)の間を左/右で区画している。
【００５６】
これによって、機械室(45)は"Ｌ"形状の流路ガイド部(490)によって上/下、左/右が区画されて、機械室内部には上/下部の凝縮機(452)と送風ファン(453)をお互いに連通させる吸気口(456)が形成されている。
【００５７】
また、"Ｌ"字形状の流路ガイド部(490)は延長されて機械室外部に突出し、機械室外側空間を上/下、左/右を区画し、外部空気の流入をガイドしながら、熱交換された空気が再流入されるのを防止する。この時流路ガイド部(490)の終端には外部(すなわち、壁面)との衝撃緩和のために緩衝部材が設置されるのが望ましい。
【００５８】
そして、 バツクカバー(46)には一側で圧縮機(451)と連通される通気孔(464)が形成されて、他側で上/下部に吐出口(462)及び吸入口(461)が形成される。そして、バツクカバー(46)の中心部に"Ｌ"字形状のガイド通過スロット(463)が形成され、そこに"Ｌ"字形状の流路ガイド(45)が結合される。
【００５９】
このようなバツクカバー(46)のガイド通過スロット(463)で直角に貫通される流路ガイド部(490)は機械室底面や側面にねじ等の締結手段によって固定される。あるいは、別の固定部材等を利用してバツクカバー上に固定される。又、機械室内部へ摺動自在に着/脱できる構造として、冷蔵庫本体の移動を自由にさせることもできる。
【００６０】
ここで、 "Ｌ"字形状でバツクカバー(46)の内/外部に形成される流路ガイド部(490)は機械室(45)に流入される空気の流動をガイドして、機械室(45)から吐出される空気が機械室(45)の下端で再流入されることを防止する。
【００６１】
又機械室(45)の凝縮部側面(457)には多数個の放熱孔(493)が形成されて、外部空気が放熱孔(493)を通して出入される。このような放熱孔(493)は機械室内部の空気流量を十分に増大させることができる。
【００６２】
このような第２実施例による機械室での放熱作動は、ビルトインキャビネットの冷蔵庫が作動すれば機械室(45)内部の圧縮機(451)及び凝縮機(452)は冷媒を圧縮及び凝縮する過程で必須的に熱が発生される。このような熱を放熱させるために送風ファン(453)が駆動され、送風ファン(453)の作動で機械室(45)の外部空気を流入させて圧縮機(451)及び凝縮機(452)が冷却される。
【００６３】
この時、送風ファン(453)が駆動されれば外部空気はビルトインキャビネット底板(43)に形成される吸入流路(481)に沿って吸入され、吸入される空気は"Ｌ"字形状の流路ガイド部(490)に沿ってバツクカバー(46)の吸入口(461)を通して凝縮機(452)に流入され凝縮機(452)と熱交換されて、熱交換された空気は内側の吸気口(456)を通して送風ファン(453)に吐出される。
【００６４】
この時、送風ファン(453)によって吐出される空気はバツクカバー(46)の吐出口(462)を通して吐出され、吐出される空気は吐出流路に沿って外部に吐出される。
【００６５】
ここで、流路ガイド部(490)は機械室内部及び外部で"Ｌ"字形状とされており、外部空気の吸入流路と吐出流路をお互いに遮断しており、送風ファン(453)によって吐出される空気と吸入される外部空気がお互いに混合しない。
【００６６】
[第３実施例]
図11〜図13は第３実施例である。
図11〜図13を参照すれば、機械室(55)には中央に形成された垂直板(554)によって圧縮部(558)と凝縮部(559)に区画されて、圧縮部(558)には圧縮機(551)が設置されて、凝縮部(559)には送風ファン(453)及び凝縮機(552)が上/下に区画されて設置される。
【００６７】
そして、機械室(55)は、底面全体に多数個の吸入口(557)が形成され下部を通して外部空気が流入され、垂直板(55４)には圧縮部(558)及び凝縮部(559)の間を連通させる通気孔(555)が形成される。
【００６８】
又、機械室(55)は背面全体を覆うバツクカバー(56)を具備する。バツクカバー(56)は機械室(55)の後部下端から壁(57)まで突出する流路遮断板(561)と、機械室(55)の上側に配設される送風ファン(553)と連通される吐出口(564)を有する。
【００６９】
この時、バツクカバー(56)の吐出口(564)には吐出される空気の流路をガイドするために流路ガイド(562)が設置される。流路ガイド(562)は吐出口(564)から一定の高さに延長されるダクト形状で冷蔵庫本体(51)の背面に装着され、吐出口(564)と吐出流路(582)を連通させる。ここで、送風ファン(553)は吐出口(564)に吐出される空気が流路ガイド(562)を通して容易に吐出されるように上方向に一定傾斜を持って設置される。
【００７０】
言い換えれば、流路ガイド(562)はバツクカバー(56)の吐出口(564)、内部の流路(563)、吐出流路(582)がお互いに連通するようにして、吐出口(564)を通して吐出される空気を一定の高さの上方向まで誘導する。他の実施例として、バツクカバーの吐出口を除去して流路ガイド(562)に直接吐出させることもできる。
【００７１】
このような第３実施例による機械室では、図11〜図13のようにビルトインキャビネット(50)に設置された冷蔵庫が作動すると、機械室(55)内の圧縮機(551)及び凝縮機(552)が必然的に熱が発生し送風ファン(553)が作動する。そして、送風ファン(553)が作動すれば、ビルトインキャビネット(50)の下部に形成される吸入流路(581)を通して外部空気が吸入されて、吸入された外部空気は機械室(55)の底面に形成された吸入口(557)を通して圧縮機(551)及び凝縮機(552)が設置される空間に移動する。
【００７２】
すなわち、ビルトインキャビネット(50)の下部に設置されたオンドル板(54)の通気孔(541)及び吸入流路(581)を通して外部空気が流入されて、流入された空気がオンドル板(54)及び底面の間の通路に沿って機械室(55)に誘導される。この時外部空気はビルトインキャビネット(50)の底板(53)と冷蔵庫本体の間の空間を通して機械室底面に形成された吸入口(557)に吸入される。
【００７３】
この時、流路遮断板(561)は図12及び図13のように吸入流路(581)に吸入される空気が吐出流路(582)に流入されないように遮断して、吸入口(557)に吸入されるようにガイドする。
【００７４】
そして、機械室底面の吸入口(557)を通して吸入される空気は凝縮機(552)を冷却させた後、送風ファン(553)によって吐出される。この時吐出される空気はバツクカバー(56)の流路ガイド(562)に沿って一定の高さまで吐出されることで吐出流路(582)を通して外部に抜け出るようになる。ここで、流路ガイド(562)は四方が遮断され、開放された内部流路(563)を通して上方向に誘導される。
【００７５】
又、圧縮機(551)の底面に吸入される空気は機械室(55)の垂直板(554)に形成された通気孔(555)を通して凝縮部(559)に吸入されて、送風ファン(553)によって流路ガイド(562)に吐出されることで、圧縮機(551)も一緒に放熱される。
【００７６】
図14は本発明による第３実施例の他の例における機械室の放熱構造を現わした図面である。
図14を参照すれば、機械室(65)内部は垂直板(654)によって圧縮部(658)と凝縮部(659)がお互いに遮断されて、水平板(655)によって凝縮部(659)の上/下に送風ファン(653)及び凝縮機(652)がそれぞれ設置される。このような機械室(651)の底面には多数個の吸入口(657)が形成されて外部空気が流入される。
【００７７】
そして、バツクカバー(66)は一側で圧縮機(651)と連通される通気孔(669)を形成されて、他側の下端で流路遮断板(661)が外側方向に突出される。そして、流路遮断板(661)の上部には一端が送風ファン(653)と連通されて他端が冷蔵庫本体の背面上部まで延長される流路ガイド部(662)が形成される。
【００７８】
このような機械室では、送風ファン(653)が回転するようになれば、凝縮機(652)の底面に形成された吸入口(657)を通して外部の空気が吸入され凝縮機(652)を冷却させて、背面の吸気口(656)を通り送風ファン(653)を 通して吐出される。この時吐出される空気は流路ガイド部(662)に沿って上方向に一定の高さまで誘導されて、外部に抜け出る。
【００７９】
このような第３実施例は機械室の背面に形成される流路を流路遮断板で遮断して機械室底面で外部空気が吸入して、又吸入される空気は機械室外側に一定の高さのダクト形態で設置された流路ガイド部を通して外部で排出する放熱流路を提供することで、吐出される空気によって熱交換量が低減されることを防止することができる。
【００８０】
[第４実施例]
図15〜図17は本発明の第４実施例である。
図15〜図17を参照すれば、機械室(75)の底面に吸入ダクト(79)を一体で形成させて、外部空気が機械室底面に流入されることができるガイドする構造である。
【００８１】
図15〜図17に図示されるように、機械室(75)は圧縮部(758)と凝縮部(759)が垂直板(754)で左/右に区画されて、圧縮部(758)には圧縮機(751)が設置されて、凝縮部(759)には前方に凝縮機(752)及び後方に送風ファン(753)が設置される。
【００８２】
凝縮部(759)の下部には外部空気の吸入をガイドするため、冷蔵庫本体(71)の機械室底面と底板(73)の上面の間に吸入ダクト(79)が設置される。吸入ダクト(79)は、"Ｌ"字形状とされ、一側においては吸入流路(741)と連通される吸入口(791)が下方向に突出してオンドル板(74)の通気孔(741)に流入される空気が容易に流入するようにされており、他側においては機械室(75)の凝縮部(759)と連通される排気口(792)が設置されダクト内に流入される空気を機械室凝縮部(759)に誘導するようにされている。
【００８３】
これにより、吸入ダクト(79)の排気口(792)を通して外部空気が吸入されると、吸入された外部空気は図16及び図17に図示されるように、送風ファン(793)によって前方向に設置された凝縮機(793)に向けて吐出され、凝縮機(793)と熱交換して凝縮機(793)を冷却した後、バツクカバー(76)の吐出口(761)を通して抜け出る。
【００８４】
この時、 バツクカバー(76)の吐出口(761)に吐出される空気は吸入ダクト(79)の吸入口(791)を通して再流入することなく吐出流路(782)を通して外部に抜け出る。そして、 バツクカバー(76)の圧縮機側には通気孔(763)が形成されて自然循環を通して放熱される。
【００８５】
本発明による実施例は機械室の放熱装置として、機械室に吸入される空気と吐出される空気を遮断させることができることであり、又遮断のための部材を垂直板、水平板等を具備するだけでなく、吸入空気を容易に流入させて吐出空気を容易に吐出させるダクト又は流路ガイドを具備して、機械室の熱交換効率を増大させることができる。
【産業上の利用可能性】
【００８６】
前述したところのように、本発明によるビルトイン冷蔵庫の機械室放熱装置は機械室を上/下で区画して、凝縮機で熱交換される空気の吸入及び吐出流路をお互いに遮断することで、既存より熱交換効率を増大させることができる効果がある。
【００８７】
又、本発明は外部空気の吸入と熱交換、そして外部空気の吐出によって流動される空気等の流路等をお互いに混合しないようにガイドしてくれることで、機械室での熱交換効率が増大される効果がある。
【００８８】
又機械室下部の凝縮機及び上部のファンを設置する一方、凝縮機とファンの間に機械室内/外部を区画する流路ガイド部材を設置することで、吐出される空気の再流入を遮断して凝縮機は勿論、機械室内部での放熱を極大化させることができる効果がある。
【図面の簡単な説明】
【００８９】
【図１】従来の一般的なビルトイン冷蔵庫の設置状態を現わした斜視図。
【図２】図1のA-A'の側断面図。
【図３】従来のビルトイン冷蔵庫の機械室の構造を現わした図。
【図４】本発明第１実施例のビルトイン冷蔵庫の放熱装置を現わした側断面図。
【図５】本発明第１実施例のビルトイン冷蔵庫の放熱装置を現わした分解斜視図。
【図６】本発明第１実施例のビルトイン冷蔵庫の放熱装置の結合状態図。
【図７】本発明第１実施例のビルトイン冷蔵庫の機械室背面図。
【図８】本発明第１実施例のビルトイン冷蔵庫の凝縮機の構造を現わした側断面図。
【図９】本発明ビルトイン冷蔵庫において、凝縮機の他の構造を現わした側断面図。
【図１０】本発明第２実施例のビルトイン冷蔵庫の放熱装置の分解斜視図。
【図１１】本発明第３実施例のビルトイン冷蔵庫の放熱装置の側断面図。
【図１２】本発明第３実施例のビルトイン冷蔵庫の放熱装置の分解斜視図。
【図１３】本発明第３実施例のビルトインである冷蔵庫の放熱装置の結合状態を現わした本体背面図。
【図１４】本発明第３実施例の他の流路構造を現わした図面。
【図１５】本発明第４実施例のビルトイン冷蔵庫の放熱装置を現わした側断面図。
【図１６】本発明第４実施例のビルトイン冷蔵庫の放熱装置を現わした部分分解断面図。
【図１７】本発明第４実施例のビルトイン冷蔵庫の放熱装置の平面図。
【符号の説明】
【００９０】
30、50、70    ビルトインキャビネット
31、51、71    冷蔵庫本体
32、52、72    ドアパネル
33、43、53、63、73    底板
34、54、74    オンドル板
36、46、56、66、76    バツクカバー
35、45、55、65、75    機械室
79    吸入ダクト
381、382、581、582、781、782    放熱流路
351、451、551、651、751    圧縮機
352、362、372、452、552、652、752    凝縮機
353、453、553、653、753    送風ファン
354、554、654、754    垂直板
390、490、562    流路ガイド部
561    流路遮断板
【図１】
2005172413.tif 000003
【図２】
2005172413.tif 000004
【図３】
2005172413.tif 000005
【図４】
2005172413.tif 000006
【図５】
2005172413.tif 000007
【図６】
2005172413.tif 000008
【図７】
2005172413.tif 000009
【図８】
2005172413.tif 000010
【図９】
2005172413.tif 000011
【図１０】
2005172413.tif 000012
【図１１】
2005172413.tif 000013
【図１２】
2005172413.tif 000014
【図１３】
2005172413.tif 000015
【図１４】
2005172413.tif 000016
【図１５】
2005172413.tif 000017
【図１６】
2005172413.tif 000018
【図１７】
2005172413.tif 000019